(57)【特許請求の範囲】
【請求項１】
光ファイバ心線を抗張力繊維を介し外皮により被覆して成る光ファイバコード部材の先端部に設けられる光コネクタであって、光ファイバコード部材の先端部の外皮が除去されて露出している光ファイバ心線の先端部を収容固定するフェルールと、このフェルールから引き出された前記露出した光ファイバ心線部分の外周を覆う筒状部材とを有し、筒状部材の外側には、外皮が除去された光ファイバコード部材の先端側に露出した抗張力繊維が配置され、その外側に固定用部材が嵌め込まれており、この固定用部材の内壁面と、この内壁面に対向する筒状部材の外周面部分とのうちの少なくとも一方には凹凸が形成されており、筒状部材と固定用部材は前記凹凸の凸部を利用して前記抗張力繊維をかしめることなく挟持固定しており、前記筒状部材の断面は略長方形状であり、前記凸部はその断面形状の長辺側の部位に形成され、前記抗張力繊維は凸部頂部上に配され、筒状部材に対する固定用部材の配置位置を決める位置決め手段が前記筒状部材の前記断面形状の短辺側の部位に設けられていることを特徴とした光コネクタ。
【請求項２】
固定用部材には光ファイバコード部材の長手方向に沿ったスリットが形成されて当該固定用部材はばね性を持つ構成と成し、固定用部材から抗張力繊維にばね性の押圧力が加えられて筒状部材に抗張力繊維が押し付け固定されていることを特徴とした請求項１記載の光コネクタ。
【請求項３】
光ファイバコード部材は、筒状部材の凸部と固定用部材によって、抗張力繊維を挟持するだけで筒状部材に固定されている、ことを特徴とする請求項１又は請求項２記載の光コネクタ。
【請求項４】
一対の光コネクタの接続構造であって、その接続し合う光コネクタの少なくとも一方の光コネクタは請求項１乃至請求項３のいずれか１つに記載の光コネクタと成し、接続し合う光コネクタのフェルールはそれぞれハウジングに収容配置されており、一方側の光コネクタのハウジングにはラッチ爪部が設けられ、他方側の光コネクタのハウジングには前記ラッチ爪部を係止する係止受け部が設けられており、一方側の光コネクタのラッチ爪部が、他方側の光コネクタの係止受け部に係止することにより、一対の光コネクタがコネクタ接続することを特徴とした光コネクタの接続構造。
【発明の詳細な説明】
【０００１】
【発明の属する技術分野】
本発明は、光ファイバを接続相手にコネクタ接続させるための光コネクタ、および、光コネクタの接続構造に関するものである。
【０００２】
【背景技術】
図８には、接続し合う光コネクタの一構造例が模式的な断面図により示されている。第１の光コネクタ２は、ハウジング５と、このハウジング５内に収容配置されるフェルール６とを有して構成されており、光ファイバコード部材８の先端部に設けられる。光ファイバコード部材８は光ファイバ心線１０を抗張力繊維（図８では図示せず）を介して外皮１１により被覆して成るものであり、この光ファイバコード部材８の先端部は外皮１１および抗張力繊維が除去されて光ファイバ心線１０が露出した状態となっている。なお、光ファイバコード部材８には、光ファイバ心線１０が１本のみであるものや、複数の光ファイバ心線１０が並設されテープ状に形成されたもの等、様々な種類がある。
【０００３】
フェルール６には光ファイバ挿通孔７が形成されており、この光ファイバ挿通孔７に、光ファイバ心線１０の露出部位が挿通され例えば接着剤等により固定されている。
【０００４】
第２の光コネクタ３は、ハウジング１３と、フェルール１４と、筒状部材１６と、フード１７とを有して構成されており、第１の光コネクタ２と同様に、光ファイバコード部材８の先端部に設けられる。その光ファイバコード部材８の先端部も外皮１１および抗張力繊維が除去されて光ファイバ心線１０が露出した状態と成している。
【０００５】
フェルール１４には、第１の光コネクタ２のフェルール６と同様に、光ファイバ挿通孔１８が形成されており、この光ファイバ挿通孔１８には光ファイバコード部材８の先端部の露出した光ファイバ心線１０が挿通固定されている。フェルール１４から引き出された上記露出した光ファイバ心線１０は筒状部材１６に挿通されている。換言すれば、フェルール１４から引き出された光ファイバ心線１０の露出部位の外周は筒状部材１６によって覆われている。
【０００６】
筒状部材１６の一端側はフェルール１４に固定されており、筒状部材１６の他端側にはその外周部に光ファイバコード部材８の外皮１１および抗張力繊維の端部が固定されている。フード１７はその筒状部材１６と、外皮１１および抗張力繊維との接続部分を覆って保護している。
【０００７】
第１の光コネクタ２と第２の光コネクタ３の各ハウジング５，１３は、コネクタ接続し合う機構を備えている。これらハウジング５，１３を接続して各光コネクタ２，３の各フェルール６，１４の接続端面同士を突き合わせることにより、第１の光コネクタ２側の光ファイバコード部材８（８ａ）の光ファイバ心線１０（１０ａ）と、第２の光コネクタ３側の光ファイバコード部材８（８ｂ）の光ファイバ心線１０（１０ｂ）とを光接続させることができる。
【０００８】
【発明が解決しようとする課題】
そのように第１の光コネクタ２と第２の光コネクタ３をコネクタ接続する場合や、そのコネクタ接続を解除する場合に、そのコネクタ着脱の作業を行い易くするために、第１の光コネクタ２や第２の光コネクタ３の後方側はスリムであることが好ましい。このことを考慮して、第２の光コネクタ３における筒状部材１６の肉薄化が図られている。
【０００９】
しかしながら、筒状部材１６を肉薄化すると、筒状部材１６の強度が弱くなることから、次に示すような問題が発生することがある。その問題とは、筒状部材１６の外周部に外皮１１および抗張力繊維を圧着により固定する場合があり、この場合に、圧着力によって筒状部材１６が破損してしまうという問題である。
【００１０】
本発明は上記課題を解決するために成されたものであり、その目的は、光ファイバコード部材の固定に起因した筒状部材の破損を防止しつつ、筒状部材の肉薄化を促進させることができて、コネクタ接続あるいはその接続解除の作業を容易に行うことができる光コネクタ、および、光コネクタの接続構造を提供することにある。
【００１１】
【課題を解決するための手段】
上記目的を達成するために、この発明は次に示す構成を持って前記課題を解決するための手段としている。すなわち、第１の発明は、光ファイバ心線を抗張力繊維を介し外皮により被覆して成る光ファイバコード部材の先端部に設けられる光コネクタであって、光ファイバコード部材の先端部の外皮が除去されて露出している光ファイバ心線の先端部を収容固定するフェルールと、このフェルールから引き出された前記露出した光ファイバ心線部分の外周を覆う筒状部材とを有し、筒状部材の外側には、外皮が除去された光ファイバコード部材の先端側に露出した抗張力繊維が配置され、その外側に固定用部材が嵌め込まれており、この固定用部材の内壁面と、この内壁面に対向する筒状部材の外周面部分とのうちの少なくとも一方には凹凸が形成されており、筒状部材と固定用部材は前記凹凸の凸部を利用して前記抗張力繊維をかしめることなく挟持固定しており、前記筒状部材の断面は略長方形状であり、前記凸部はその断面形状の長辺側の部位に形成され、前記抗張力繊維は凸部頂部上に配され、筒状部材に対する固定用部材の配置位置を決める位置決め手段が前記筒状部材の前記断面形状の短辺側の部位に設けられている構成をもって前記課題を解決する手段としている。
【００１２】
第２の発明は、第１の発明の構成を備え、固定用部材には光ファイバコード部材の長手方向に沿ったスリットが形成されて当該固定用部材はばね性を持つ構成と成し、固定用部材から抗張力繊維にばね性の押圧力が加えられて筒状部材に抗張力繊維が押し付け固定されていることを特徴として構成されている。
【００１３】
第３の発明は、第１又は第２の発明の構成を備え、光ファイバコード部材は、筒状部材の凸部と固定用部材によって、抗張力繊維を挟持するだけで筒状部材に固定されていることを特徴として構成されている。
【００１４】
第４の発明は、一対の光コネクタの接続構造であって、その接続し合う光コネクタの少なくとも一方の光コネクタは第１乃至第３のいずれか１つの発明の光コネクタと成し、接続し合う光コネクタのフェルールはそれぞれハウジングに収容配置されており、一方側の光コネクタのハウジングにはラッチ爪部が設けられ、他方側の光コネクタのハウジングには前記ラッチ爪部を係止する係止受け部が設けられており、一方側の光コネクタのラッチ爪部が、他方側の光コネクタの係止受け部に係止することにより、一対の光コネクタがコネクタ接続することを特徴として構成されている。
【００１５】
上記構成の発明では、光ファイバコード部材を筒状部材に固定する際に、圧着によって光ファイバコード部材の外皮および抗張力繊維を筒状部材に固定するのではなく、筒状部材と、その外側に嵌め込まれる固定用部材とによって光ファイバコード部材の抗張力繊維を挟持固定することにより、光ファイバコード部材を筒状部材に固定している。この発明では、固定用部材の内壁面と、この内壁面に対応する筒状部材の外周面部分とのうちの少なくとも一方には凹凸が形成されており、筒状部材と固定用部材は、その凹凸の凸部を利用して抗張力繊維を挟持固定する。このため、抗張力繊維は筒状部材に強固に固定されることとなる。
【００１６】
この発明では、光ファイバコード部材を筒状部材に固定する際に、破損を招くような大きな力が筒状部材に作用することを防止することができ、これにより、筒状部材の肉薄化を促進させることが可能となる。
【００１７】
このように筒状部材の肉薄化を促進させることができるので、その肉薄な筒状部材を有する光コネクタのコネクタ接続あるいはその接続解除の作業を行い易くすることができる。
【００１８】
【発明の実施の形態】
以下に、この発明に係る実施形態例を図面に基づいて説明する。
【００１９】
図１には本実施形態例の光コネクタにおいて特徴的な構成部分が抜き出され模式的な断面図により示され、図２にはその部分が分解され模式的な斜視図により示されている。なお、この実施形態例の説明において、従来例と同一構成部分には同一符号を付し、その共通部分の重複説明は省略する。
【００２０】
この実施形態例では、第２の光コネクタ３において、光ファイバコード部材８（８ｂ）の先端部は外皮１１が除去されて抗張力繊維２１が露出され、さらに、その先端側は抗張力繊維２１が除去されて光ファイバ心線１０が露出している。この露出した光ファイバ心線１０の先端部はフェルール１４に収容固定され、光ファイバ心線１０のそれ以外の露出部分は筒状部材１６の内部に挿通されている。
【００２１】
この筒状部材１６の構成材料は特に限定されるものではないが、その一例として、プラスチック材料がある。プラスチック材料を筒状部材１６の構成材料とする場合には、例えば、強度の観点から、ガラスフィラーを含有したＰＢＴ（ポリブチレンテレフタレート）や、ＰＰＳ（ポリフェニレンスルフィド）を採用することが好ましい。
【００２２】
筒状部材１６の後端部の外周面には凸部２２が形成されている。この実施形態例では、筒状部材１６は断面が略長方形状と成しており、その断面形状の長辺側の部位（図１、図２では上面と底面）に凸部２２が形成されている。この凸部２２の頂部上に前記露出した抗張力繊維２１が配置されている。換言すれば、抗張力繊維２１は筒状部材１６の上面側と底面側に分けられて凸部２２の頂部側に配置されている。
【００２３】
筒状部材１６の後端部の外側には図３（ａ）に示されるような断面矩形の筒状の固定用部材２０が嵌め込まれている。この固定用部材２０の構成材料の例としては、例えば、ステンレスや、銅合金や、アルミニウム合金等の様々な金属や、プラスチック材料等が挙げられる。ただ、プラスチック材料よりも金属の方が肉薄化し易いので、スリム化を図る上では、金属の方が好ましい。
【００２４】
固定用部材２０と、筒状部材１６の凸部２２の頂部との間の間隔は、抗張力繊維２１の太さとほぼ同程度の寸法（例えば、0.1〜0.2mm）となっており、固定用部材２０と、筒状部材１６の凸部２２とによって、抗張力繊維２１が挟み込まれて固定されている。
【００２５】
このように、この実施形態例では、圧着によって光ファイバコード部材８の外皮１１等を筒状部材１６に固定するのではなく、筒状部材１６の凸部２２と、固定用部材２０とによって抗張力繊維２１を挟持固定して光ファイバコード部材８を筒状部材１６に固定する構成とした。このため、光ファイバコード部材８を筒状部材１６に固定する際に、破損を招くような大きな力が筒状部材１６に作用することを防止することができる。このことから、筒状部材１６の肉薄化を促進させることができる。また、固定用部材２０の肉厚も例えば0.2〜0.5mm程度に薄くすることができることから、第２の光コネクタ３の後方側のスリム化を促進させることが容易となる。これにより、第１の光コネクタ２のコネクタ接続あるいはその接続解除の作業を行い易くすることができることとなり、作業効率を高めることができる。
【００２６】
なお、筒状部材１６の凸部２２と、固定用部材２０とによって、抗張力繊維２１を挟持するだけで、光ファイバコード部材８を筒状部材１６に固定することができるが、より強固に固定したい場合には、筒状部材１６と固定用部材２０間に接着剤を設けて抗張力繊維２１を接着と挟持の両方でもって固定してもよい。
【００２７】
この実施形態例では、図２に示されるように、筒状部材１６の後端部には凸部２５が形成され、固定用部材２０には開口部２４が形成されている。凸部２５は開口部２４に隙間が殆ど無い状態で嵌まる構成と成しており、凸部２５と開口部２４が嵌め合うことにより、筒状部材１６に対する固定用部材２０の配設位置が定まる。すなわち、この実施形態例では、開口部２４と凸部２５によって、位置決め手段が構成されている。また、それら開口部２４と凸部２５は、固定用部材２０が筒状部材１６から外れることを防止する抜け止め手段としても機能している。
【００２８】
なお、図４に示されるように、固定用部材２０の外側を覆うフード１７を設けてもよい。フード１７の構成材料の例としては、例えば、ゴムやエラストマー等の弾性体がある。また、熱収縮チューブを利用してもよい。
【００２９】
以上のような構成を備えた第２の光コネクタ３と、その接続相手の第１の光コネクタ２との各ハウジング５，１３は、接続し合って光コネクタ２，３をコネクタ接続させることができる構成を有していれば、どのような構成を備えていてもよいが、ここでは、その一具体例を示して光コネクタの接続構造の一実施形態例を説明する。図５には、その光コネクタの接続構造の一実施形態例を説明するための模式的な斜視図が示されている。また、図６（ａ）には図５に示す第２の光コネクタ３を上側から見た平面図が示され、図６（ｂ）にはその第２の光コネクタ３の側面図が示され、図６（ｃ）には、図６（ａ）に示すＡ−Ａ部分の断面図が示されている。
【００３０】
光コネクタの接続構造１において、第１の光コネクタ２のハウジング５にはフェルール６の接続端面を露出させるための開口部が形成され、この開口部の周端縁には突き出し壁部２３が形成されている。この突き出し壁部２３の先端部には係止受け部２４が形成されている。
【００３１】
第２の光コネクタ３のハウジング１３はハウジング部１３ａとスライダ１３ｂを有して構成されている。ハウジング部１３ａは基部３０とアーム部３１ａ，３１ｂを有して構成されている。基部３０にはスライダ１３ｂを挿通するためのスライダ挿通孔３９が形成されている（図６（ｃ）参照）。このスライダ挿通孔３９に挿通されたスライダ１３ｂの先端部の両側を間隔を介して挟み込むように基部３０の両側部側からそれぞれアーム部３１ａ，３１ｂが伸張形成されている。
【００３２】
これらアーム部３１ａ，３１ｂの各先端部にはそれぞれ爪部（ラッチ爪部）３２が内側に向けて突出形成されている。これら爪部３２は、第１の光コネクタ２のハウジング５の係止受け部２４に係止する構成と成す（図７（ａ）参照）。また、これらアーム部３１ａ，３１ｂの互いに対向し合う壁面には、それぞれ、先端側から基部３０に向かうに従ってアーム部３１ａ，３１ｂ間の間隔を狭める方向のテーパ面３５が形成されている。これら各テーパ面３５の上部側は平坦な面３８に連接されている。
【００３３】
スライダ１３ｂにはアーム部３１ａ，３１ｂにより挟み込まれる部位に被開角駆動カム部３３が形成されている。この被開角駆動カム部３３は、ハウジング１３ｂの他の部位よりもＺ方向に張り出している。これにより、被開角駆動カム部３３をハウジング部１３ａの基部３０に近付ける方向にスライダ１３ｂをハウジング部１３ａに対して変位させた際に、被開角駆動カム部３３がハウジング部１３ａの基部３０の前面３０ａに当接し、スライダ１３ｂの移動が停止する（図７（ｂ）参照）。
【００３４】
その停止状態のときにアーム部３１ａ，３１ｂのそれぞれの面３８に対応する被開角駆動カム部３３の各々の部位に張り出し部３４が形成されている。これら各張り出し部３４の先端面はそれぞれアーム部３１ａ，３１ｂの面３８に当接する平坦な面と成している。
【００３５】
さらに、スライダ１３ｂにはハウジング部１３ａの基部３０よりも後方側となる部位に突起部４０が形成されている。この突起部４０は基部３０の後端面３０ｂに係止することにより、ハウジング部１３ａに対するスライダ１３ｂの先端方向への移動を規制する。
【００３６】
さらにまた、スライダ１３ｂには被開角駆動カム部３３と突起部４０との間の部位に、Ｚ方向に貫通する穴部４１が形成されている（図６（ｃ）参照）。また、被開角駆動カム部３３にはその穴部４１からＸ方向に貫通する貫通孔４２が形成されている。この貫通孔４２を通してコイルバネ３７が配置されている。このコイルバネ３７の先端部はスライダ１３ｂの前端よりも前に突き出し配置され、後端部は穴部４１に配置されている。このコイルバネ３７の前方側にフェルール１４が配置されている。
【００３７】
この実施形態例では、フェルール１４にはブーツ１５が固定されており、光ファイバ心線１０の先端部はブーツ１５を通してフェルール１４に収容固定されている。ブーツ１５はコイルバネ３７の内部に収容されている。また、筒状部材１６の先端部にはＺ方向に張り出した係止部１６ａが形成されており、この係止部１６ａの内部にはブーツ１５の後端部が収容されている。その係止部１６ａもコイルバネ３７の内部に収容されている。
【００３８】
スライダ１３ｂには後端面から穴部４１までＸ方向に貫通する貫通孔４３が形成されており、この貫通孔４３には筒状部材１６の係止部１６ａ以外の部位の一部分が挿通されている。筒状部材１６がスライダ１３ｂに対して後方側に変位した際に、筒状部材１６の係止部１６ａがスライダ１３ｂの穴部４１の内壁面（換言すれば、貫通孔４３の開口部が形成されている面）に当接する構成と成している。これにより、スライダ１３ｂに対する筒状部材１６の後方側への移動が停止される。つまり、穴部４１の後方側の内壁面は係止受け部と成しており、この実施形態例では、その内壁面と、筒状部材１６の係止部１６ａとによって、筒状部材１６の後退方向への移動を規制するストッパー手段が構成されている。
【００３９】
このような構成の第１の光コネクタ２と第２の光コネクタ３を用いて、光ファイバコード部材８ａの光ファイバ心線１０と、光ファイバコード部材８ｂの光ファイバ心線１０とを光接続させる場合には、図７（ａ）に示すように、第１の光コネクタ２のフェルール６の接続端面と、第２の光コネクタ３のフェルール１４の接続端面とを突き合わせ接続させる。この際、第２の光コネクタ３のアーム部３１ａ，３１ｂの各爪部３２が第１の光コネクタ２のハウジング５の係止受け部２４に係止して抜け止め状態となる。また、第２の光コネクタ３のフェルール１４とハウジング部１３ａの基部３０との間のコイルバネ３７は圧縮状態となり、このコイルバネ３７の付勢力によって、光ファイバ心線１０の接続端面に押圧力を付与することができる。
【００４０】
なお、図７（ａ）〜（ｃ）では、ハウジング５は断面により図示されている。
【００４１】
光ファイバコード部材８ａの光ファイバ心線１０と、光ファイバコード部材８ｂの光ファイバ心線１０との接続を解除する際には、スライダ１３ｂを後方側に引っ張る。すると、スライダ１３ｂの被開角駆動カム部３３の張り出し部３４が、ハウジング部１３ａのアーム部３１ａ，３１ｂに対してテーパ面３５に沿って後方側に移動する。これにより、図７（ｂ）に示すように、アーム部３１ａ，３１ｂの先端側の間隔が広がっていく。そして、アーム部３１ａ，３１ｂの各先端部の爪部３２と、光コネクタ１のハウジング５の係止受け部２４との係止状態が解除される。これにより、図７（ｃ）に示すように、フェルール６，１４の突き合わせ接続を解除できて、光ファイバ心線１０の接続が解除できる。
【００４２】
以上のような光コネクタの接続構造１を備えることにより、光ファイバ心線１０の接続と接続解除を簡単、かつ、確実に行うことができる。
【００４３】
なお、この発明は本実施形態例に限定されるものではなく、様々な実施の形態を採り得るものである。例えば、この実施形態例では、筒状部材１６の後端側の外周面に形成される凸部２２は図２に示されるような形状と成していたが、凸部２２の形状や配置数や配置位置は限定されるものではなく、適宜に形成してよいものである。また、この実施形態例では、筒状部材１６の後端側の外周面に凸部２２を設けて凹凸を形成していたが、例えば、筒状部材１６の外周面に凹部を形成して凹凸を形成してもよい。
【００４４】
さらに、この実施形態例では、筒状部材１６の外周面に凹凸を形成していたが、例えば、固定用部材２０の内壁面に凸部や凹部を設けて凹凸を形成してもよい。さらに、固定用部材２０の内壁面と、この内壁面に対向する筒状部材１６の外周面部分との両方に凹凸を形成してもよい。この場合には、筒状部材１６の外周面の凹凸と固定用部材２０の内壁面の凹凸とが嵌め合うように、それら筒状部材１６の外周面の凹凸と固定用部材２０の内壁面の凹凸とを形成することにより、抗張力繊維２０を、より外れ難くすることができる。また、この場合には、筒状部材１６の外周面の凹凸および固定用部材２０の内壁面の凹凸に、筒状部材１６に対する固定用部材２０の配設位置を決める位置決め手段としての機能を持たせることができる。この場合には、開口部２４と凸部２５を省略することができる。
【００４５】
さらに、この実施形態例では、外皮１１の先端部は何処にも固定されていなかったが、例えば、接着剤等を利用して筒状部材１６の後端面に外皮１１の先端面を固定してもよいし、固定用部材２０の外周面や後端面に外皮１１を固定してもよい。
【００４６】
さらに、この実施形態例では、光ファイバコード部材８の外皮１１が除去されて露出した抗張力繊維２１の先端部は除去されて固定用部材２０から外部に食み出さないように構成されていたが、例えば、抗張力繊維２１の先端部を折り曲げて固定用部材２０から外部に食み出さないようにしてもよい。
【００４７】
さらに、この実施形態例では、固定用部材２０は図３（ａ）に示される形態と成していたが、固定用部材２０は筒状部材１６に嵌って抗張力繊維２１を挟み込むことができる形態であれば特に限定されるものではなく、例えば、図３（ｂ）や（ｃ）に示されるような形態をも採り得る。これら断面矩形に形成された筒状の固定用部材２０には光ファイバコード部材８の長手方向に沿ったスリット２３が形成されて固定用部材２０は、ばね性を持つ構成と成している。この場合には、固定用部材２０から抗張力繊維２１にばね性の押圧力が加えられて筒状部材１６に抗張力繊維２１が押し付けられ、より一層強固に抗張力繊維２１を挟持固定することができる。
【００４８】
さらに、この実施形態例では、第２の光コネクタ３のみに筒状部材１６が設けられる構成であったが、筒状部材１６は第１の光コネクタ２に設けてもよいし、第１の光コネクタ２と第２の光コネクタ３の両方に設けてもよい。この場合にも、筒状部材１６の後端部に光ファイバコード部材８の抗張力繊維２１が固定用部材２０を利用して挟持固定される構成とする。このようにすることにより、第１の光コネクタ２や第２の光コネクタ３の後端部のスリム化を促進させることが容易となる。
【００４９】
さらに、この実施形態例では、接続し合う一対の光コネクタ２，３は両方共に、光ファイバコード部材８の先端部に固定されるものであったが、それら光コネクタのうちの一方側だけが光ファイバコード部材の先端部に固定されるものであってもよく、この場合には、その光ファイバコード部材に固定される側の光コネクタに、この実施形態例に示したと同様の筒状部材と、固定用部材とを設けて、筒状部材に光ファイバコード部材を固定することで、この実施形態例と同様の効果を奏することができる。
【００５０】
【発明の効果】
この発明によれば、光ファイバコード部材の先端部に設けられる光コネクタにおいて、光ファイバコード部材の先端部の露出した光ファイバ心線の外周を覆う筒状部材の外側に、固定用部材を嵌め込む構成と成し、固定用部材の内壁面と、この内壁面に対向する筒状部材の外周面部分とのうちの少なくとも一方には凹凸が形成されており、筒状部材と固定用部材は、その凹凸の凸部を利用して、光ファイバコード部材の先端部の露出した抗張力繊維を挟持固定する。このような構成とすることによって、光ファイバコード部材の外皮や抗張力繊維を筒状部材に圧着固定する場合のような大きな力が筒状部材に作用することを回避することができる。
【００５１】
このため、光ファイバコード部材の固定に起因した筒状部材の破損を防止しつつ、筒状部材の肉薄化を促進させることができる。また、固定用部材の肉薄化も容易であることから、光コネクタの後方側のスリム化を促進させることができる。これにより、光コネクタのコネクタ接続やその接続解除の作業を行い易くすることができて、作業効率の向上を図ることができる。
【００５２】
特に、この発明において特有な光コネクタの接続構造の構成を備えることにより、より一層、光コネクタのコネクタ接続やその接続解除の作業が簡単となり、作業効率を格段に向上させることができる。
【００５３】
固定用部材がばね性を持つ構成のものにあっては、固定用部材と筒状部材によって、光ファイバコード部材の先端部の抗張力繊維をより一層強固に挟持固定することができる。
【００５４】
また、本発明においては、筒状部材に対する固定用部材の配設位置を決める位置決め手段が設けられているので、光ファイバコード部材の先端部の抗張力繊維を確実に挟持することができる適切な位置で、筒状部材に対する固定用部材の配置位置を定めることができる。
【図面の簡単な説明】
【図１】本実施形態例の光コネクタにおいて特徴的な構成部分を抜き出して模式的に示した断面図である。
【図２】本実施形態例において特有な構成部分を分解して模式的に示した斜視図である。
【図３】固定用部材の形態例を示したモデル図である。
【図４】その他の実施形態例を示す説明図である。
【図５】光コネクタの接続構造の一実施形態例を示す斜視図である。
【図６】図５に示した第２の光コネクタを模式的に示した図である。
【図７】図５に示す光コネクタの接続構造におけるコネクタ接続と接続解除の動作を説明するための図である。
【図８】光コネクタの従来例を示すモデル図である。
【符号の説明】
１  光コネクタの接続構造
２  第１の光コネクタ
３  第２の光コネクタ
５，１３  ハウジング
６，１４  フェルール
８  光ファイバコード部材
１０  光ファイバ心線
１１  外皮
１６  筒状部材
２０  固定用部材
２１  抗張力繊維
２２  凸部
２４  開口部
２５  凸部
【図１】
0004550313.tif 000002
【図２】
0004550313.tif 000003
【図３】
0004550313.tif 000004
【図４】
0004550313.tif 000005
【図５】
0004550313.tif 000006
【図６】
0004550313.tif 000007
【図７】
0004550313.tif 000008
【図８】
0004550313.tif 000009